(57)【要約】      （修正有）【課題】衛生マスクの上縁からの呼気の排出を遮蔽し、呼気による眼への負担や眼鏡のレンズの曇りなどを当該衛生マスクへの装着により効果的に防止することができるマスクカバーを提供する。【解決手段】マスクカバーとして、着用者の左右両眼の下瞼から顎に至る範囲を覆う略矩形状の衛生マスクＭに外側から装着され、かつ衛生マスクＭの上縁からの呼気の排出を抑えるマスクカバー本体１０を有する。マスクカバー本体１０に、着用者の左右両眼に対する呼気の排出を遮蔽する遮蔽体１１と、当該マスクカバー本体１０の左右両側縁に設けられ、かつ衛生マスクＭの左右両側縁を内側から挟み込むように切り欠かれた左右一対の切欠片１３とを備えている。【選択図】図４
0003234859.tif 000002
【実用新案登録請求の範囲】
【請求項１】
着用者の左右両眼の下瞼から顎に至る範囲を覆う略矩形状の衛生マスクに外側から装着され、かつ前記衛生マスクの上縁からの呼気の排出を抑えるマスクカバー本体を有し、
前記マスクカバー本体は、
当該マスクカバー本体に設けられ、かつ前記着用者の左右両眼に対する呼気の排出を遮蔽する遮蔽体と、
当該マスクカバー本体の左右両側縁に設けられ、かつ前記衛生マスクの左右両側縁を内側から挟み込むように切り欠かれた左右一対の切欠片と、
を備えていることを特徴とするマスクカバー。
【請求項２】
前記遮蔽体としては、前記マスクカバー本体の上縁に一体的に設けられ、前記衛生マスクの上縁に沿って内側に折り返された状態で当該衛生マスクの上縁から前記着用者の左右両眼に対する呼気の排出を遮蔽する左右一対の遮蔽片が適用されている請求項１に記載のマスクカバー。
【請求項３】
前記遮蔽体としては、前記マスクカバー本体の左右方向一方より挿通された状態で前記左右の切欠片の間に厚肉状態で装着され、衛生マスクの上縁から前記着用者の左右両眼に対する呼気の排出を押圧により遮蔽する遮蔽部材が適用されている請求項１又は請求項２に記載のマスクカバー。
【請求項４】
前記マスクカバー本体は、当該マスクカバー本体の下縁より前記衛生マスク側に突設され、かつ前記着用者の鼻腔を押さえないように前記衛生マスクとの間に空隙を形成する空隙形成部を備えている請求項１又は請求項２に記載のマスクカバー。
【請求項５】
前記空隙形成部は、前記マスクカバー本体の下縁左右両位置よりそれぞれ内側へ折り曲げられた状態で先端が前記衛生マスクに当接する左右一対の折り曲げ片を備えている請求項４に記載のマスクカバー。
【請求項６】
前記各折り曲げ片には、当該各折り曲げ片同士を折り曲げた状態で連結する連結部を備えている請求項５に記載のマスクカバー。
【請求項７】
前記マスクカバー本体には、当該マスクカバー本体の上縁の左右方向略中央位置を頂点として前記着用者の鼻に沿うように前記マスクカバー本体の下縁に向かって広がる表面視で山折れ状の折り曲げ線が設けられている請求項１〜請求項６のいずれか１つに記載のマスクカバー。
【請求項８】
前記マスクカバー本体には、当該マスクカバー本体の上縁に沿って左右方向へ延びる表面視で谷折れ状の折り曲げ線が設けられている請求項１〜請求項７のいずれか１つに記載のマスクカバー。
【請求項９】
前記マスクカバー本体には、当該マスクカバー本体の下縁に沿って左右方向へ延びる表面視で山折れ状又は谷折れ状の折り曲げ線が設けられている請求項１〜請求項８のいずれか１つに記載のマスクカバー。
【請求項１０】
前記マスクカバー本体には、当該マスクカバー本体の左右両側縁に沿ってそれぞれ上下方向へ延びる表面視で山折れ状の折り曲げ線が設けられている請求項１〜請求項９のいずれか１つに記載のマスクカバー。
【考案の詳細な説明】
【技術分野】
【０００１】
本考案は、衛生マスクに装着されるマスクカバーに関する。
【背景技術】
【０００２】
一般に、衛生マスクは、着用者の左右両眼の下瞼から顎に至る範囲を覆う不織布よりなる略矩形状のマスク本体を備え、このマスク本体の左右両縁に紐状の耳掛け部の両端がそれぞれ取り付けられている。
【０００３】
ところで、このような衛生マスクを着用した際に、口や鼻孔から排出される呼気がマスク本体内に止まると、夏場に向けて衛生マスクの着用が非常に苦になってしまうことになる。
【０００４】
そのため、従来より、マスク本体の上辺中央部に、使用者の鼻と頬との段差部に流れる空気を排出するための通気部を設けたものが知られている（特許文献１参照）。このものによれば、マスク本体内の呼気が通気部を介して積極的に逃がされ、夏場の着用が苦になり難くするようにしている。
【先行技術文献】
【特許文献】
【０００５】
【特許文献１】特開２０１３−１７２８１２号公報
【考案の概要】
【考案が解決しようとする課題】
【０００６】
ところが、前記従来のものでは、衛生マスクの上縁から排出された呼気がそのまま上方に導かれると、眼に当たり易くなるため、眼に対する負担が強いられることになる。しかも、眼鏡などを掛けていると、衛生マスクの上縁から排出された呼気によってレンズなどに曇りが生じることもあり、その対策が切望されていた。
【０００７】
本考案は、かかる点に鑑みてなされたものであり、その目的とするところは、衛生マスクの上縁からの呼気の排出を遮蔽し、呼気による眼への負担や眼鏡のレンズの曇りなどを当該衛生マスクへの装着により効果的に防止することができるマスクカバーを提供することにある。
【課題を解決するための手段】
【０００８】
前記目的を達成するため、本考案では、マスクカバーとして、着用者の左右両眼の下瞼から顎に至る範囲を覆う略矩形状の衛生マスクに外側から装着され、かつ前記衛生マスクの上縁からの呼気の排出を抑えるマスクカバー本体を有している。そして、前記マスクカバー本体に、当該マスクカバー本体に設けられ、かつ前記着用者の左右両眼に対する呼気の排出を遮蔽する遮蔽体と、当該マスクカバー本体の左右両側縁に設けられ、かつ前記衛生マスクの左右両側縁を内側から挟み込むように切り欠かれた左右一対の切欠片と、を備えることを特徴としている。
【０００９】
また、前記遮蔽体として、前記マスクカバー本体の上縁に一体的に設けられ、前記衛生マスクの上縁に沿って内側に折り返された状態で当該衛生マスクの上縁から前記着用者の左右両眼に対する呼気の排出を遮蔽する左右一対の遮蔽片を適用していてもよい。
【００１０】
また、前記遮蔽体として、前記マスクカバー本体の左右方向一方より挿通された状態で前記左右の切欠片の間に厚肉状態で装着され、衛生マスクの上縁から前記着用者の左右両眼に対する呼気の排出を押圧により遮蔽する遮蔽部材を適用していてもよい。
【００１１】
また、前記マスクカバー本体に、当該マスクカバー本体の下縁より前記衛生マスク側に突設され、かつ前記着用者の鼻腔を押さえないように前記衛生マスクとの間に空隙を形成する空隙形成部を備えていてもよい。
【００１２】
また、前記空隙形成部に、前記マスクカバー本体の下縁左右両位置よりそれぞれ内側へ折り曲げられた状態で先端が前記衛生マスクに当接する左右一対の折り曲げ片を備えていてもよい。
【００１３】
更に、前記各折り曲げ片に、当該各折り曲げ片同士を折り曲げた状態で連結する連結部を備えていてもよい。
【００１４】
また、前記マスクカバー本体に、当該マスクカバー本体の上縁の左右方向略中央位置を頂点として前記着用者の鼻に沿うように前記マスクカバー本体の下縁に向かって広がる表面視で山折れ状の折り曲げ線を設けていてもよい。
【００１５】
また、前記マスクカバー本体に、当該マスクカバー本体の上縁に沿って左右方向へ延びる表面視で谷折れ状の折り曲げ線を設けていてもよい。
【００１６】
また、前記マスクカバー本体に、当該マスクカバー本体の下縁に沿って左右方向へ延びる表面視で山折れ状又は谷折れ状の折り曲げ線を設けていてもよい。
【００１７】
更に、前記マスクカバー本体に、当該マスクカバー本体の左右両側縁に沿ってそれぞれ上下方向へ延びる表面視で山折れ状の折り曲げ線を設けていてもよい。
【考案の効果】
【００１８】
以上、要するに、マスクカバー本体の左右両側縁の各切欠片により衛生マスクの左右両側縁を内側から挟み込んでマスクカバーを装着し、衛生マスクの上縁からの着用者の左右両眼に対する呼気の排出を遮蔽体により遮蔽することで、呼気による眼への負担や眼鏡のレンズの曇りなどを効果的に防止することができる。
【００１９】
また、マスクカバー本体の上縁より衛生マスクの上縁に沿って内側に折り返した左右一対の遮蔽片を遮蔽体として適用し、この左右の遮蔽片によって衛生マスクの上縁から着用者の左右両眼に対する呼気の排出を遮蔽することで、呼気による眼への負担や眼鏡のレンズの曇りなどを衛生マスクの上縁に沿って内側に折り返した左右の遮蔽片によってより効果的に防止することができる。
【００２０】
また、マスクカバー本体の左右方向一方より挿通した状態で左右の切欠片の間に厚肉状態で装着される遮蔽部材を遮蔽体として適用し、この遮蔽部材によって衛生マスクの上縁から着用者の左右両眼に対する呼気の排出を押圧により遮蔽することで、呼気による眼への負担や眼鏡のレンズの曇りなどを衛生マスクに挿通した遮蔽部材によってより一層効果的に防止することができる。
【００２１】
しかも、遮蔽部材は厚肉状態でマスクカバー本体に装着されていることにより、マスクカバー本体下方の衛生マスク本体の下部より漏れ出た呼気を遮蔽部材の厚みによって遮って左右両方向へスムーズに流して排出することができる。
【００２２】
また、マスクカバー本体の下縁より衛生マスク側に突設した空隙形成部によって着用者の鼻腔を押さえないように衛生マスクとの間に空隙を形成することで、着用者の鼻腔や口から排出した呼気を空隙形成部に無理なく吐き出すことが可能となり、衛生マスク装着時の息苦しさを緩和することができる。
【００２３】
しかも、衛生マスクとの間に空隙形成部によって形成された空隙に衛生マスクから漏れ出た呼気が侵入しても、その漏れ出た呼気を遮蔽体により遮って左右両方向へスムーズに流して排出することができる。
【００２４】
また、マスクカバー本体の下縁左右両位置よりそれぞれ内側へ折り曲げた状態で先端が衛生マスクに当接する左右の折り曲げ片によって空隙形成部を構成することで、簡単な構成の各折り曲げ片によって空隙形成部を簡単に形成することができる。
【００２５】
更に、左右の折り曲げ片同士を連結部により折り曲げた状態で連結することで、マスクカバー本体の下縁左右両位置よりそれぞれ内側へ折り曲げた折り曲げ片同士による空隙形成部を形状保持することができる。
【００２６】
また、マスクカバー本体の上縁の左右方向略中央位置を頂点として着用者の鼻に沿うようにマスクカバー本体の下縁に向かって広がる表面視で山折れ状の折り曲げ線を設けることで、折り曲げ線に沿って折り曲げた際にマスクカバー本体の中央部が着用者の鼻に沿った形状に盛り上がり、衛生マスク装着時の息苦しさを良好に緩和することができる。
【００２７】
また、マスクカバー本体の上縁に沿って左右方向へ延びる表面視で谷折れ状の折り曲げ線を設けることで、遮蔽体と折り曲げ線との間に左右方向へ延びる空間が形成され、衛生マスクとマスクカバー本体との間からの呼気を左右両側に円滑に排出して衛生マスクの内部温度の上昇を抑制することができる。
【００２８】
また、マスクカバー本体の下縁に沿って左右方向へ延びる表面視で山折れ状又は谷折れ状の折り曲げ線を設けることで、この折り曲げ線と遮蔽体との間に左右方向へ延びる空間が形成され、衛生マスク本体より漏れ出た呼気をマスクカバー本体の左右両側に流して排出することができる。しかも、折り曲げ線を山折れ状とすることで、着用者の鼻腔付近に対するマスクカバー本体からの押圧が抑制され、衛生マスク装着時の息苦しさをより良好に緩和することができる。
【００２９】
更に、マスクカバー本体の左右両側縁に沿ってそれぞれ上下方向へ延びる表面視で山折れ状の折り曲げ線を設けることで、子供用や女性用などの小さいタイプの衛生マスクに装着する際に当該衛生マスクの幅に合わせて左右の折り曲げ線で折り曲げることで、小さいタイプの衛生マスクに装着した際にマスクカバー本体を違和感なくフィットさせることができる。
【図面の簡単な説明】
【００３０】
【図１】本考案の第１の実施の形態に係るマスクカバーを外側となる正面側から見た正面図である。
【図２】図１のマスクカバーを内側となる背面側から見た背面図である。
【図３】図１のマスクカバーを大人用の衛生マスクに装着した状態で正面側から見た正面図である。
【図４】図１のマスクカバーを大人用の衛生マスクに装着した状態で背面側から見た背面図である。
【図５】本考案の第２の実施の形態に係るマスクカバーを正面側から見た正面図である。
【図６】図５のマスクカバーを背面側から見た背面図である。
【図７】図５のマスクカバーを大人用の衛生マスクに装着した状態で正面側から見た正面図である。
【図８】図５のマスクカバーを大人用の衛生マスクに装着した状態で背面側から見た背面図である。
【図９】図５のマスクカバーを子供用の衛生マスクに装着した状態で正面側から見た正面図である。
【図１０】図５のマスクカバーを子供用の衛生マスクに装着した状態で背面側から見た背面図である。
【図１１】第２の実施の形態の変形例に係るマスクカバーを正面側から見た正面図である。
【図１２】図１１のマスクカバーを背面側から見た背面図である。
【図１３】本考案の第３の実施の形態に係るマスクカバーを正面側から見た正面図である。
【図１４】図１３のマスクカバーを背面側から見た背面図である。
【図１５】図１３のマスクカバーを大人用の衛生マスクに装着した状態で正面側から見た正面図である。
【図１６】図１３のマスクカバーを大人用の衛生マスクに装着した状態で背面側から見た背面図である。
【図１７】図１３のマスクカバーを子供用の衛生マスクに装着した状態で正面側から見た正面図である。
【図１８】図１３のマスクカバーを子供用の衛生マスクに装着した状態で背面側から見た背面図である。
【図１９】本考案の第４の実施の形態に係るマスクカバーを正面側から見た正面図である。
【図２０】図１９のマスクカバーを背面側から見た背面図である。
【図２１】図１９のマスクカバーを大人用の衛生マスクに装着した状態で正面側から見た正面図である。
【図２２】図１９のマスクカバーを大人用の衛生マスクに装着した状態で背面側から見た背面図である。
【図２３】第４の実施の形態の変形例に係るマスクカバーを正面側から見た正面図である。
【図２４】図２３のマスクカバーを背面側から見た背面図である。
【図２５】図２３のマスクカバーを大人用の衛生マスクに装着した状態で正面側から見た正面図である。
【図２６】図２３のマスクカバーを大人用の衛生マスクに装着した状態で背面側から見た背面図である。
【図２７】本考案の第５の実施の形態に係るマスクカバーを正面側から見た正面図である。
【図２８】図２７のマスクカバーを背面側から見た背面図である。
【図２９】図２７のマスクカバーを大人用の衛生マスクに装着した状態で正面側から見た正面図である。
【図３０】図２７のマスクカバーを大人用の衛生マスクに装着した状態で背面側から見た背面図である。
【図３１】本考案の第６の実施の形態に係るマスクカバーを正面側から見た正面図である。
【図３２】図３１のマスクカバーを背面側から見た背面図である。
【図３３】図３１のマスクカバーを大人用の衛生マスクに装着した状態で正面側から見た正面図である。
【図３４】図３１のマスクカバーを大人用の衛生マスクに装着した状態で背面側から見た背面図である。
【図３５】図３１のマスクカバーを子供用の衛生マスクに装着した状態で正面側から見た正面図である。
【図３６】図３１のマスクカバーを子供用の衛生マスクに装着した状態で背面側から見た背面図である。
【図３７】第６の実施の形態の変形例に係るマスクカバーを正面側から見た正面図である。
【図３８】図３７のマスクカバーを背面側から見た背面図である。
【図３９】図３７のマスクカバーを大人用の衛生マスクに装着した状態で正面側から見た正面図である。
【図４０】図３７のマスクカバーを大人用の衛生マスクに装着した状態で背面側から見た背面図である。
【図４１】本考案の第７の実施の形態に係るマスクカバーを展開した状態を背面側から示す展開図である。
【図４２】図４１のマスクカバーの下縁の各折り曲げ片同士を折り曲げた状態で連結する連結部を背面側から見た説明図である。
【図４３】図４１のマスクカバーを正面側から見た正面図である。
【図４４】図４１のマスクカバーを大人用の衛生マスクに装着した状態で正面側から見た正面図である。
【図４５】図４１のマスクカバーを大人用の衛生マスクに装着した状態で背面側から見た背面図である。
【図４６】第７の実施の形態の変形例に係るマスクカバーを展開した状態を背面側から示す展開図である。
【図４７】本考案の第８の実施の形態に係るマスクカバーを正面側から見た正面図である。
【図４８】図４７のマスクカバーを背面側から見た背面図である。
【図４９】図４７のマスクカバーを衛生マスクに装着した状態で正面側から見た正面図である。
【図５０】図４７のマスクカバーを衛生マスクに装着した状態で背面側から見た背面図である。
【図５１】本考案の第９の実施の形態に係るマスクカバーを正面側から見た正面図である。
【図５２】図５１のマスクカバーを背面側から見た背面図である。
【図５３】図５１のマスクカバーを大人用の衛生マスクに装着した状態で正面側から見た正面図である。
【図５４】図５１のマスクカバーを大人用の衛生マスクに装着した状態で背面側から見た背面図である。
【考案を実施するための形態】
【００３１】
以下、本考案の実施の形態を図面に基づいて説明する。
【００３２】
図１は本考案の第１の実施の形態に係るマスクカバーを外側となる正面側から見た正面図、図２は図１のマスクカバーを内側となる背面側から見た背面図をそれぞれ示している。また、図３は図１のマスクカバーを大人用の衛生マスクに装着した状態で正面側から見た正面図、図４は図１のマスクカバーを大人用の衛生マスクに装着した状態で背面側から見た背面図をそれぞれ示している。
【００３３】
図１〜図４に示すように、マスクカバー１は、厚さ０．１ｍｍ〜０．３ｍｍ程度の黒色のポリプロピレンなどの樹脂製のシート材を切り欠いて形成されたマスクカバー本体１０を備えている。このマスクカバー本体１０は、着用者の左右両眼の下瞼から顎に至る範囲を覆う衛生マスクＭに対しその上部を外側から覆うように装着され、衛生マスク本体Ｍ１の上縁からの呼気の排出を抑えるようにしている。
【００３４】
衛生マスクＭは、不織布により略矩形状に形成され、かつ大人の着用者の顔面の左右両眼の下瞼から顎に至る範囲を覆う衛生マスク本体Ｍ１と、衛生マスク本体Ｍ１の左右両端にそれぞれ設けられ、当該衛生マスク本体Ｍ１を着用者の顔面に対し保持する左右の保持体Ｍ２，Ｍ２とを備えている。左右の保持体Ｍ２，Ｍ２は、衛生マスク本体Ｍ１の左右両端の上下両位置に両端が固着されたゴム紐よりなる。
【００３５】
マスクカバー本体１０は、着用者の左右両眼に対する呼気の排出を遮蔽する遮蔽体１１を備えている。この遮蔽体１１としては、衛生マスク本体Ｍ１の上縁左右両位置の山折れ状の折り曲げ線Ｌ１に沿って内側に折り返された状態で当該衛生マスク本体Ｍ１の上縁からの着用者の左右両眼に対する呼気の排出を遮蔽する左右一対の遮蔽片１２，１２が適用されている。
【００３６】
また、マスクカバー本体１０は、当該マスクカバー本体１０の左右両側縁に設けられ、かつ衛生マスク本体Ｍ１の左右両側縁を内側から挟み込むように切り欠かれた左右一対の切欠片１３，１３を備えている。左右の切欠片１３，１３は、互いに左右方向外方向きに開口する略Ｕ字状に形成されている。
【００３７】
更に、マスクカバー本体１０は、当該マスクカバー本体１０の下縁において着用者の鼻腔を押さえないように衛生マスク本体Ｍ１との間に空隙を形成する空隙形成部１４を備えている。この空隙形成部１４としては、衛生マスク本体Ｍ１の下縁左右両位置の山折れ状の折り曲げ線Ｌ２に沿って内側に折り返された状態で当該衛生マスク本体Ｍ１に先端が当接する左右一対の折り曲げ片１５，１５が適用されている。
【００３８】
したがって、本実施の形態では、マスクカバー本体１０の左右両側縁の各切欠片１３，１３により衛生マスク本体Ｍ１の左右両側縁を内側から挟み込んでマスクカバー１が装着され、衛生マスク本体Ｍ１の上縁からの着用者の左右両眼に対する呼気の排出が遮蔽体１１により遮蔽されているので、呼気による眼への負担や眼鏡のレンズの曇りなどを効果的に防止することができる。
【００３９】
また、マスクカバー本体１０の上縁より衛生マスク本体Ｍ１の上縁に沿って内側に折り返した左右一対の遮蔽片１２，１２を遮蔽体１１として適用し、この左右の遮蔽片１２，１２によって衛生マスク本体Ｍ１の上縁から着用者の左右両眼に対する呼気の排出が遮蔽されているので、呼気による眼への負担や眼鏡のレンズの曇りなどを衛生マスク本体Ｍ１の上縁に沿って内側に折り返した左右の遮蔽片１２，１２によってより効果的に防止することができる。
【００４０】
また、マスクカバー本体１０の下縁より衛生マスクＭ側に突設した空隙形成部１４によって着用者の鼻腔を押さえないように衛生マスク本体Ｍ１との間に空隙が形成されているので、着用者の鼻腔や口から排出した呼気を空隙形成部１４に無理なく吐き出すことが可能となり、衛生マスクＭ装着時の息苦しさを緩和することができる。
【００４１】
しかも、衛生マスクＭとの間に空隙形成部１４によって形成された空隙に衛生マスクＭから漏れ出た呼気が侵入しても、その漏れ出た呼気を遮蔽体１４により遮って左右両方向へスムーズに流して排出することができる。
【００４２】
また、マスクカバー本体１０の下縁左右両位置よりそれぞれ内側へ折り曲げた状態で衛生マスク本体Ｍ１に先端が当接する左右一対の折り曲げ片１５，１５によって空隙形成部１４が形成されているので、簡単な構成の各折り曲げ片１５，１５によって空隙形成部１４を簡単に形成することができる。
【００４３】
次に、本考案の第２の実施の形態を図５〜図１０に基づいて説明する。
【００４４】
この実施の形態では、マスクカバー本体の構成を変更している。なお、マスクカバー本体を除くその他の構成は前記第１の実施の形態の場合と同じであり、同一部分については同じ符号を付してその詳細な説明は省略する。
【００４５】
図５は本考案の第２の実施の形態に係るマスクカバーを正面側から見た正面図、図６は図５のマスクカバーを背面側から見た背面図をそれぞれ示している。また、図７は図５のマスクカバーを大人用の衛生マスクＭに装着した状態で正面側から見た正面図、図８は図５のマスクカバーを大人用の衛生マスクＭに装着した状態で背面側から見た背面図をそれぞれ示している。
【００４６】
すなわち、本実施の形態では、図５〜図８に示すように、マスクカバー２は、厚さ０．１ｍｍ〜０．３ｍｍ程度の黒色のポリプロピレンなどの樹脂製のシート材を切り欠いて形成されたマスクカバー本体２０を備えている。このマスクカバー本体２０は、着用者の左右両眼の下瞼から顎に至る範囲を覆う衛生マスクＭに対しその上部を外側から覆うように装着され、衛生マスク本体Ｍ１の上縁からの呼気の排出を抑えるようにしている。
【００４７】
マスクカバー本体２０は、着用者の左右両眼に対する呼気の排出を遮蔽する遮蔽体２１を備えている。この遮蔽体２１としては、衛生マスク本体Ｍ１の上縁左右両位置の山折れ状の折り曲げ線Ｌ１に沿って内側に折り返された状態で当該衛生マスク本体Ｍ１の上縁からの着用者の左右両眼に対する呼気の排出を遮蔽する左右一対の遮蔽片２２，２２が適用されている。
【００４８】
また、マスクカバー本体２０は、当該マスクカバー本体２０の左右両側縁に設けられ、かつ衛生マスク本体Ｍ１の左右両側縁を内側から挟み込むように切り欠かれた左右一対の切欠片２３，２３を備えている。左右の切欠片２３，２３は、互いに左右方向外方向きに開口する略Ｕ字状に形成されている。
【００４９】
更に、マスクカバー本体２０は、当該マスクカバー本体２０の下縁において着用者の鼻腔を押さえないように衛生マスク本体Ｍ１との間に空隙を形成する空隙形成部２４を備えている。この空隙形成部２４としては、衛生マスク本体Ｍ１の下縁左右両位置の山折れ状の折り曲げ線Ｌ２に沿って内側に折り返された状態で当該衛生マスク本体Ｍ１に先端が当接する左右一対の折り曲げ片２５，２５が適用されている。
【００５０】
そして、マスクカバー本体２０には、当該マスクカバー本体２０の上縁に沿って左右方向へ延びる表面視で谷折れ状の折り曲げ線としての上側折り曲げ線２６が設けられている。この上側折り曲げ線２６は、左右の切欠片２３，２３の上側の切込線より若干離間した状態でその上側の切込線同士を内側に連続させるように形成されている。
【００５１】
また、マスクカバー本体２０には、当該マスクカバー本体２０の左右両側縁に沿ってそれぞれ上下方向へ延びる表面視で山折れ状の折り曲げ線としての左右両側折り曲げ線２７，２７が設けられている。この左右両側折り曲げ線２７，２７は、マスクカバー本体２０の左右両側縁よりそれぞれ８ｍｍ〜２０ｍｍ程度内側に位置している。
【００５２】
図９は図５のマスクカバー２を子供用の衛生マスクに装着した状態で正面側から見た正面図、図１０は図５のマスクカバー２を子供用の衛生マスクに装着した状態で背面側から見た背面図をそれぞれ示している。
【００５３】
図９及び図１０に示すように、子供用の衛生マスクＳは、大人の衛生マスクＭよりも左右方向の幅が狭くかつ上下方向の寸法が短くなるように不織布により略矩形状に形成されている。そして、マスクカバー２を子供用の衛生マスクＳに装着する際には、その子供用の衛生マスク本体Ｓ１の幅に合致するように、左右両側折り曲げ線２７，２７をそれぞれ山折れ状に折り曲げてその左右両側折り曲げ線２７，２７よりも外側部分２８，２８を衛生マスク本体Ｓ１の内側に沿わせるようにしている。このとき、マスクカバー本体２０は、大人用の衛生マスクＭと同様に、子供用の衛生マスクＳの左右両側縁に対しの左右の切欠片２３，２３を内側から挟み込んだ状態で装着される。
【００５４】
したがって、本実施の形態では、マスクカバー本体２０の左右の切欠片２３，２３により大人用及び子供用の衛生マスク本体Ｍ１，Ｓ１の左右両側縁を内側から挟み込んで装着したマスクカバー２の遮蔽体２１の左右一対の遮蔽片２２，２２によって、大人用及び子供用の衛生マスク本体Ｍ１，Ｓ１の上縁からの着用者の左右両眼に対する呼気の排出が遮蔽される。これにより、呼気による眼への負担や眼鏡のレンズの曇りなどを効果的に防止することができる。
【００５５】
しかも、マスクカバー本体２０の上縁に沿って左右方向へ延びる表面視で谷折れ状の上側折り曲げ線２６が設けられているので、左右一対の遮蔽片２２，２２と相俟って左右方向への立体性を持たせることが可能となる。これにより、上側折り曲げ線２６と左右一対の遮蔽片２２，２２とによって大人用及び子供用の衛生マスク本体Ｍ１，Ｓ１の上縁に到達する前の呼気を左右方向へ逃がすことができ、呼気による眼への負担や眼鏡のレンズの曇りなどをさらに効果的に防止することができる。
【００５６】
更に、マスクカバー本体２０の下縁より衛生マスクＭ側に突設する空隙形成部２４によって着用者の鼻腔を押さえないように衛生マスク本体Ｍ１との間に空隙が形成されていることにより、着用者の鼻腔や口から排出した呼気を左右一対の折り曲げ片２５，２５よりなる空隙形成部２４に無理なく吐き出すことが可能となり、大人用及び子供用の衛生マスクＭ，Ｓ装着時の息苦しさを簡単な構成で緩和することもできる。
【００５７】
そして、マスクカバー本体２０の左右両側縁に沿ってそれぞれ上下方向へ延びる表面視で山折れ状の左右両側折り曲げ線２７，２７が設けられているので、大人用よりも小さい子供用の衛生マスクＳに装着する際に当該子供用の衛生マスクＳの幅に合わせて左右の折り曲げ線２７，２７をそれぞれ山折れ状に折り曲げてそれよりも外側部分２８，２８を衛生マスク本体Ｓ１の内側に沿わせることで、子供用の衛生マスクＳに装着した際にマスクカバー本体を２０違和感なくフィットさせることができる。
【００５８】
なお、本実施の形態では、マスクカバー本体２０に上側折り曲げ線２６を設けたが、図１１及び図１２に示すように、マスクカバー本体２０に、当該マスクカバー本体２０の下縁に沿って左右方向へ延びる表面視で山折れ状の折り曲げ線としての下側折り曲げ線２９が設けられていてもよい。この下側折り曲げ線２９は、左右の切欠片２３，２３の下側の切込線より若干離間した状態でその下側の切込線同士を内側に連続させるように形成されている。
【００５９】
この場合、マスクカバー本体２０の下縁に沿って左右方向へ延びる表面視で山折れ状の下側折り曲げ線２９を設けることで、この下側折り曲げ線と遮蔽体との間に左右方向へ延びる空間が形成され、衛生マスク本体より漏れ出た呼気をマスクカバー本体の左右両側に流して排出することができる。しかも、下側折り曲げ線を山折れ状とすることで、着用者の鼻腔付近に対するマスクカバー本体からの押圧が抑制され、衛生マスク装着時の息苦しさをより良好に緩和することができる。
【００６０】
また、下側折り曲げ線が表面視で谷折れ状であってもよく、その場合においても、下側折り曲げ線と遮蔽体との間に左右方向へ延びる空間が形成され、衛生マスク本体より漏れ出た呼気をマスクカバー本体の左右両側に流して排出することが可能となる。
【００６１】
次に、本考案の第３の実施の形態を図１３〜図１８に基づいて説明する。
【００６２】
この実施の形態では、マスクカバー本体の構成を変更している。なお、マスクカバー本体を除くその他の構成は前記第１の実施の形態の場合と同じであり、同一部分については同じ符号を付してその詳細な説明は省略する。
【００６３】
図１３は本考案の第３の実施の形態に係るマスクカバーを正面側から見た正面図、図１４は図１３のマスクカバーを背面側から見た背面図をそれぞれ示している。また、図１５は図１３のマスクカバーを大人用の衛生マスクに装着した状態で正面側から見た正面図、図１６は図１３のマスクカバーを大人用の衛生マスクに装着した状態で背面側から見た背面図をそれぞれ示している。
【００６４】
すなわち、本実施の形態では、図１３〜図１６に示すように、マスクカバー３は、厚さ０．１ｍｍ〜０．３ｍｍ程度の黒色のポリプロピレンなどの樹脂製のシート材を切り欠いて形成されたマスクカバー本３０を備えている。このマスクカバー本体３０は、着用者の左右両眼の下瞼から顎に至る範囲を覆う衛生マスクＭに対しその上部を外側から覆うように装着され、衛生マスク本体Ｍ１の上縁からの呼気の排出を抑えるようにしている。
【００６５】
マスクカバー本体３０は、着用者の左右両眼に対する呼気の排出を遮蔽する遮蔽体３１を備えている。この遮蔽体３１としては、衛生マスク本体Ｍ１の上縁左右両位置の山折れ状の折り曲げ線Ｌ１に沿って内側に折り返された状態で当該衛生マスク本体Ｍ１の上縁からの着用者の左右両眼に対する呼気の排出を遮蔽する左右一対の遮蔽片３２，３２が適用されている。
【００６６】
また、マスクカバー本体３０は、当該マスクカバー本体３０の左右両側縁に設けられ、かつ衛生マスク本体Ｍ１の左右両側縁を内側から挟み込むように切り欠かれた左右一対の切欠片３３，３３を備えている。左右の切欠片３３，３３は、互いに左右方向外方向きに開口する略Ｕ字状に形成されている。
【００６７】
更に、マスクカバー本体３０は、当該マスクカバー本体３０の下縁において着用者の鼻腔を押さえないように衛生マスク本体Ｍ１との間に空隙を形成する空隙形成部３４を備えている。この空隙形成部３４としては、衛生マスク本体Ｍ１の下縁左右両位置の山折れ状の折り曲げ線Ｌ２に沿って内側に折り返された状態で当該衛生マスク本体Ｍ１に先端が当接する左右一対の折り曲げ片３５，３５が適用されている。
【００６８】
また、マスクカバー本体３０には、当該マスクカバー本体３０の左右両側縁に沿ってそれぞれ上下方向へ延びる表面視で山折れ状の折り曲げ線としての左右両側折り曲げ線３７，３７が設けられている。この左右両側折り曲げ線３７，３７は、マスクカバー本体３０の左右両側縁よりそれぞれ８ｍｍ〜２０ｍｍ程度内側に位置している。
【００６９】
そして、左右の切欠片３３，３３の内側には、当該両切欠片３３，３３よりも小さな内側切欠片３６，３６がそれぞれ設けられている。この左右の内側切欠片３６，３６は、両切欠片３３，３３の内側において互いに左右方向外方向きに開口する略Ｕ字状に形成され、それぞれの両内側切欠片３３，３３の上側及び下側の切込線の外方端が左右両側折り曲げ線３７，３７付近に位置している。そして、この左右の内側切欠片３６，３６は、子供用の衛生マスク本体Ｓ１の左右両側縁を内側から挟み込むように略Ｕ字状に切り欠かれている。
【００７０】
図１７は図１３のマスクカバー３を子供用の衛生マスクＳに装着した状態で正面側から見た正面図、図１８は図１３のマスクカバー３を子供用の衛生マスクＳに装着した状態で背面側から見た背面図をそれぞれ示している。
【００７１】
図１７及び図１８に示すように、マスクカバー３を子供用の衛生マスクＳに装着する際には、その子供用の衛生マスク本体Ｓ１の幅に合致するように、左右両側折り曲げ線３７，３７をそれぞれ山折れ状に折り曲げてその左右両側折り曲げ線３７，３７よりも外側部分３８，３８を衛生マスク本体Ｓ１の内側に沿わせるようにしている。このとき、子供用の衛生マスクＳは、マスクカバー本体３０の左右の内側切欠片３６，３６により左右両側縁を内側から挟み込んだ状態で装着される。
【００７２】
したがって、本実施の形態では、マスクカバー本体３０の左右の切欠片３３，３３により大人用の衛生マスク本体Ｍ１の左右両側縁を内側から挟み込んだ状態で装着する一方、マスクカバー本体３０の左右の内側切欠片３６，３６により子供用の衛生マスク本体Ｓ１の左右両側縁を内側から挟み込んだ状態で装着したマスクカバー３の遮蔽体３１の左右一対の遮蔽片３２，３２によって、大人用及び子供用の衛生マスク本体Ｍ１，Ｓ１の上縁からの着用者の左右両眼に対する呼気の排出が遮蔽される。これにより、呼気による眼への負担や眼鏡のレンズの曇りなどを効果的に防止することができる。
【００７３】
また、マスクカバー本体３０の下縁より大人用及び子供用の衛生マスクＭ，Ｓ側に突設する空隙形成部３４によって着用者の鼻腔を押さえないように衛生マスク本体Ｍ１との間に空隙が形成されていることにより、着用者の鼻腔や口から排出した呼気を左右一対の折り曲げ片３５，３５よりなる空隙形成部３４に無理なく吐き出すことが可能となり、大人用及び子供用の衛生マスクＭ，Ｓ装着時の息苦しさを簡単な構成で緩和することもできる。
【００７４】
そして、マスクカバー本体３０の左右両側縁に沿ってそれぞれ上下方向へ延びる表面視で山折れ状の左右両側折り曲げ線３７，３７が設けられているので、大人用よりも小さい子供用の衛生マスクＳに装着する際に当該子供用の衛生マスクＳの幅に合わせて左右の折り曲げ線３７，３７をそれぞれ山折れ状に折り曲げてそれよりも外側部分３８，３８を衛生マスク本体Ｓ１の内側に沿わせることで、小さい子供用の衛生マスクＳに装着した際にマスクカバー本体を３０違和感なくフィットさせることができる。
【００７５】
なお、本実施の形態では、マスクカバー本体３０に上側折り曲げ線３６を設けたが、マスクカバー本体に、当該マスクカバー本体の下縁に沿って左右方向へ延びる表面視で山折れ状の折り曲げ線としての下側折り曲げ線が上側折り曲げ線と併用又は単独で設けられていてもよい。この下側折り曲げ線は、左右の切欠片の下側の切込線より若干離間した状態でその下側の切込線同士を内側に連続させるように形成されている。
【００７６】
この場合、マスクカバー本体の下縁に沿って左右方向へ延びる表面視で山折れ状の下側折り曲げ線を設けることで、着用者の鼻腔付近に対し山折れ状の下側折り曲げ線によって大人用及び子供用の衛生マスク本体への押圧が抑制され、大人用及び子供用の衛生マスク装着時の息苦しさをより良好に緩和することができる。
【００７７】
次に、本考案の第４の実施の形態を図１９〜図２２に基づいて説明する。
【００７８】
この実施の形態では、マスクカバー本体の構成を変更している。なお、マスクカバー本体を除くその他の構成は前記第１の実施の形態の場合と同じであり、同一部分については同じ符号を付してその詳細な説明は省略する。
【００７９】
図１９は本考案の第４の実施の形態に係るマスクカバーを正面側から見た正面図、図２０は図１９のマスクカバーを背面側から見た背面図をそれぞれ示している。また、図２１は図１９のマスクカバーを大人用の衛生マスクに装着した状態で正面側から見た正面図、図２２は図１９のマスクカバーを大人用の衛生マスクに装着した状態で背面側から見た背面図をそれぞれ示している。
【００８０】
すなわち、本実施の形態では、図１９〜図２２に示すように、マスクカバー４は、厚さ０．１ｍｍ〜０．３ｍｍ程度の黒色のポリプロピレンなどの樹脂製のシート材を切り欠いて形成されたマスクカバー本体４０を備えている。このマスクカバー本体４０は、着用者の左右両眼の下瞼から顎に至る範囲を覆う衛生マスクＭに対しその上部を外側から覆うように装着され、衛生マスク本体Ｍ１の上縁からの呼気の排出を抑えるようにしている。
【００８１】
マスクカバー本体４０は、着用者の左右両眼に対する呼気の排出を遮蔽する遮蔽体４１を備えている。この遮蔽体４１としては、衛生マスク本体Ｍ１の上縁左右両位置の山折れ状の折り曲げ線Ｌ１に沿って内側に折り返された状態で当該衛生マスク本体Ｍ１の上縁からの着用者の左右両眼に対する呼気の排出を遮蔽する左右一対の遮蔽片４２，４２が適用されている。
【００８２】
また、マスクカバー本体４０は、当該マスクカバー本体４０の左右両側縁に設けられ、かつ衛生マスク本体Ｍ１の左右両側縁を内側から挟み込むように切り欠かれた左右一対の切欠片４３，４３を備えている。左右の切欠片４３，４３は、互いに左右方向外方向きに開口する略Ｕ字状に形成されている。
【００８３】
更に、マスクカバー本体４０は、当該マスクカバー本体４０の下縁において着用者の鼻腔を押さえないように衛生マスク本体Ｍ１との間に空隙を形成する空隙形成部４４を備えている。この空隙形成部４４としては、衛生マスク本体Ｍ１の下縁左右両位置の山折れ状の折り曲げ線Ｌ２に沿って内側に折り返された状態で当該衛生マスク本体Ｍ１に先端が当接する左右一対の折り曲げ片４５，４５が適用されている。
【００８４】
そして、マスクカバー本体４０には、当該マスクカバー本体４０の上縁の左右方向略中央位置を頂点として着用者の鼻に沿うようにマスクカバー本体４０の下縁に向かって略八の字状に広がる折り曲げ線としての八の字状折り曲げ線１６が設けられている。この八の字状折り曲げ線１６は、表面視で山折れ状となり、頂点とするマスクカバー本体４０の上縁において上端同士が左右方向に若干離間している。
【００８５】
また、マスクカバー本体４０には、当該マスクカバー本体４０の左右両側縁に沿ってそれぞれ上下方向へ延びる表面視で山折れ状の折り曲げ線としての左右両側折り曲げ線４７，４７が設けられている。この左右両側折り曲げ線４７，４７は、マスクカバー本体４０の左右両側縁よりそれぞれ８ｍｍ〜２０ｍｍ程度内側に位置している。
【００８６】
そして、マスクカバー４を子供用の衛生マスクＳに装着する際には、その子供用の衛生マスク本体Ｓ１の幅に合致するように、左右両側折り曲げ線４７，４７をそれぞれ山折れ状に折り曲げてその左右両側折り曲げ線４７，４７よりも外側部分４８，４８を衛生マスク本体Ｓ１の内側に沿わせるようにしている。このとき、マスクカバー本体４０は、大人用の衛生マスクＭと同様に、子供用の衛生マスクＳの左右両側縁に対しの左右の切欠片４３，４３を内側から挟み込んだ状態で装着される。
【００８７】
したがって、本実施の形態では、マスクカバー本体４０の左右の切欠片４３，４３により大人用及び子供用の衛生マスク本体Ｍ１，Ｓ１の左右両側縁を内側から挟み込んで装着したマスクカバー４の遮蔽体４１の左右一対の遮蔽片４２，４２によって、大人用及び子供用の衛生マスク本体Ｍ１，Ｓ１の上縁からの着用者の左右両眼に対する呼気の排出が遮蔽される。これにより、呼気による眼への負担や眼鏡のレンズの曇りなどを効果的に防止することができる。
【００８８】
しかも、マスクカバー本体４０の上縁の左右方向略中央位置を頂点として着用者の鼻に沿うようにマスクカバー本体４０の下縁に向かって広がる表面視で山折れ状の八の字状折り曲げ線１６が設けられているので、八の字状折り曲げ線１６に沿って折り曲げた際にマスクカバー本体４０の中央部が着用者の鼻に沿った形状に盛り上がる。これにより、衛生マスクＭ，Ｓ装着時の息苦しさを良好に緩和することができる。
【００８９】
更に、マスクカバー本体４０の下縁より衛生マスクＭ側に突設する空隙形成部４４によって着用者の鼻腔を押さえないように衛生マスク本体Ｍ１，Ｓ１との間に空隙が形成されていることにより、着用者の鼻腔や口から排出した呼気を左右一対の折り曲げ片４５，４５よりなる空隙形成部４４に無理なく吐き出すことが可能となり、大人用及び子供用の衛生マスクＭ，Ｓ装着時の息苦しさを簡単な構成で緩和することもできる。
【００９０】
そして、マスクカバー本体４０の左右両側縁に沿ってそれぞれ上下方向へ延びる表面視で山折れ状の左右両側折り曲げ線４７，４７が設けられているので、大人用よりも小さい子供用の衛生マスクＳに装着する際に当該子供用の衛生マスクＳの幅に合わせて左右の折り曲げ線４７，４７をそれぞれ山折れ状に折り曲げてそれよりも外側部分４８，４８を衛生マスク本体Ｓ１の内側に沿わせることで、子供用の衛生マスクＳに装着した際にマスクカバー本体を４０違和感なくフィットさせることができる。
【００９１】
なお、本実施の形態では、マスクカバー本体４０に八の字状折り曲げ線１６を設けたが、図２３〜図２６に示すように、マスクカバー本体４０に、当該マスクカバー本体４０の上縁に沿って左右方向へ延びる表面視で谷折れ状の折り曲げ線としての上側折り曲げ線４６が八の字状折り曲げ線１６と併用して設けられていてもよい。この上側折り曲げ線４６は、左右の切欠片４３，４３の下側の切込線より若干離間した状態でその下側の切込線同士を内側に連続させるように形成されている。
【００９２】
この場合、マスクカバー本体４０の上縁に沿って左右方向へ延びる表面視で谷折れ状の上側折り曲げ線４６を設けることで、着用者の鼻腔付近に対し山折れ状の八の字状折り曲げ線１６及び上側折り曲げ線４６によって大人用及び子供用の衛生マスク本体Ｍ１，Ｓ１への押圧が抑制され、大人用及び子供用の衛生マスクＭ，Ｓ装着時の息苦しさをさらに良好に緩和することができる。
【００９３】
次に、本考案の第５の実施の形態を図２７〜図３０に基づいて説明する。
【００９４】
この実施の形態では、マスクカバー本体の構成を変更している。なお、マスクカバー本体を除くその他の構成は前記第１の実施の形態の場合と同じであり、同一部分については同じ符号を付してその詳細な説明は省略する。
【００９５】
図２７は本考案の第５の実施の形態に係るマスクカバーを正面側から見た正面図、図２８は図２７のマスクカバーを背面側から見た背面図をそれぞれ示している。また、図２９は図２７のマスクカバーを大人用の衛生マスクに装着した状態で正面側から見た正面図、図３０は図２７のマスクカバーを大人用の衛生マスクに装着した状態で背面側から見た背面図をそれぞれ示している。
【００９６】
すなわち、本実施の形態では、図２７〜図３０に示すように、マスクカバー５は、厚さ０．１ｍｍ〜０．３ｍｍ程度の透明なポリプロピレンなどの樹脂製のシート材を切り欠いて形成されたマスクカバー本体５０を備えている。このマスクカバー本体５０は、着用者の左右両眼の下瞼から顎に至る範囲を覆う衛生マスクＭに対しその上部を外側から覆うように装着され、衛生マスク本体Ｍ１の上縁からの呼気の排出を抑えるようにしている。
【００９７】
マスクカバー本体５０は、着用者の左右両眼に対する呼気の排出を遮蔽する遮蔽体５１を備えている。この遮蔽体５１としては、衛生マスク本体Ｍ１の上縁左右両位置の山折れ状の折り曲げ線Ｌ１に沿って内側に折り返された状態で当該衛生マスク本体Ｍ１の上縁からの着用者の左右両眼に対する呼気の排出を遮蔽する左右一対の遮蔽片５２，５２が適用されている。
【００９８】
また、マスクカバー本体５０は、当該マスクカバー本体５０の左右両側縁に設けられ、かつ衛生マスク本体Ｍ１の左右両側縁を内側から挟み込むように切り欠かれた左右一対の切欠片５３，５３を備えている。左右の切欠片５３，５３は、互いに左右方向外方向きに開口する略Ｕ字状に形成されている。
【００９９】
更に、マスクカバー本体５０は、当該マスクカバー本体５０の下縁において着用者の鼻腔を押さえないように衛生マスク本体Ｍ１との間に空隙を形成する空隙形成部５４を備えている。この空隙形成部５４としては、衛生マスク本体Ｍ１の下縁左右両位置の山折れ状の折り曲げ線Ｌ２に沿って内側に折り返された状態で当該衛生マスク本体Ｍ１に先端が当接する左右一対の折り曲げ片５５，５５が適用されている。
【０１００】
そして、マスクカバー本体５０には、当該マスクカバー本体５０の上縁の左右方向略中央位置を頂点として着用者の鼻に沿うようにマスクカバー本体５０の下縁に向かって略八の字状に広がる八の字状折り曲げ線１６が設けられている。この八の字状折り曲げ線１６は、表面視で山折れ状となり、頂点とするマスクカバー本体５０の上縁において上端同士が左右方向に若干離間している。
【０１０１】
また、マスクカバー本体５０には、当該マスクカバー本体５０の左右両側縁に沿ってそれぞれ上下方向へ延びる表面視で山折れ状の折り曲げ線としての左右両側折り曲げ線５７，５７が設けられている。この左右両側折り曲げ線５７，５７は、マスクカバー本体５０の左右両側縁よりそれぞれ８ｍｍ〜２０ｍｍ程度内側に位置している。
【０１０２】
そして、マスクカバー５を子供用の衛生マスクＳに装着する際には、その子供用の衛生マスク本体Ｓ１の幅に合致するように、左右両側折り曲げ線５７，５７をそれぞれ山折れ状に折り曲げてその左右両側折り曲げ線５７，５７よりも外側部分５８，５８を衛生マスク本体Ｓ１の内側に沿わせるようにしている。このとき、マスクカバー本体５０は、大人用の衛生マスクＭと同様に、子供用の衛生マスクＳの左右両側縁に対しの左右の切欠片５３，５３を内側から挟み込んだ状態で装着される。
【０１０３】
したがって、本実施の形態では、マスクカバー本体５０の左右の切欠片５３，５３により大人用及び子供用の衛生マスク本体Ｍ１，Ｓ１の左右両側縁を内側から挟み込んで装着したマスクカバー５の遮蔽体５１の左右一対の遮蔽片５２，５２によって、大人用及び子供用の衛生マスク本体Ｍ１，Ｓ１の上縁からの着用者の左右両眼に対する呼気の排出が遮蔽される。これにより、呼気による眼への負担や眼鏡のレンズの曇りなどを効果的に防止することができる。
【０１０４】
しかも、マスクカバー本体５０の上縁の左右方向略中央位置を頂点として着用者の鼻に沿うようにマスクカバー本体５０の下縁に向かって広がる表面視で山折れ状の八の字状折り曲げ線１６が設けられているとともに、マスクカバー本体５０の下縁より衛生マスクＭ側に突設する空隙形成部５４によって着用者の鼻腔を押さえないように衛生マスク本体Ｍ１，Ｓ１との間に空隙が形成されている。このため、八の字状折り曲げ線１６に沿って折り曲げた際にマスクカバー本体５０の中央部が着用者の鼻に沿った形状に盛り上がる上、着用者の鼻腔や口から排出した呼気を左右一対の折り曲げ片５５，５５よりなる空隙形成部５４に無理なく吐き出すことが可能となる。これにより、大人用及び子供用の衛生マスクＭ，Ｓ装着時の息苦しさを簡単な構成で良好に緩和することができる。
【０１０５】
また、マスクカバー本体５０が透明なシート材を切り欠いて形成されているので、不織布により形成された大人用及び子供用の衛生マスクＭ，Ｓがどのような色合いであっても、違和感なく装着することができる。
【０１０６】
また、マスクカバー本体５０の左右両側縁に沿ってそれぞれ上下方向へ延びる表面視で山折れ状の左右両側折り曲げ線５７，５７が設けられているので、大人用よりも小さい子供用の衛生マスクＳに装着する際に当該子供用の衛生マスクＳの幅に合わせて左右の折り曲げ線５７，５７をそれぞれ山折れ状に折り曲げてそれよりも外側部分５８，５８を衛生マスク本体Ｓ１の内側に沿わせることで、子供用の衛生マスクＳに装着した際にマスクカバー本体を５０違和感なくフィットさせることができる。
【０１０７】
次に、本考案の第６の実施の形態を図３１〜図３６に基づいて説明する。
【０１０８】
この実施の形態では、マスクカバー本体の構成を変更している。なお、マスクカバー本体を除くその他の構成は前記第１の実施の形態の場合と同じであり、同一部分については同じ符号を付してその詳細な説明は省略する。
【０１０９】
図３１は本考案の第６の実施の形態に係るマスクカバーを正面側から見た正面図、図３２は図３１のマスクカバーを背面側から見た背面図をそれぞれ示している。また、図３３は図３１のマスクカバーを大人用の衛生マスクに装着した状態で正面側から見た正面図、図３４は図３１のマスクカバーを大人用の衛生マスクに装着した状態で背面側から見た背面図をそれぞれ示している。
【０１１０】
すなわち、本実施の形態では、図３１〜図３４に示すように、マスクカバー６は、厚さ０．１ｍｍ〜０．３ｍｍ程度の黒色のポリプロピレンなどの樹脂製のシート材を切り欠いて形成されたマスクカバー本体６０を備えている。このマスクカバー本体６０は、着用者の左右両眼の下瞼から顎に至る範囲を覆う衛生マスクＭに対しその上部を外側から覆うように装着され、衛生マスク本体Ｍ１の上縁からの呼気の排出を抑えるようにしている。
【０１１１】
マスクカバー本体６０は、着用者の左右両眼に対する呼気の排出を遮蔽する遮蔽体６１を備えている。この遮蔽体６１としては、衛生マスク本体Ｍ１の上縁左右両位置の山折れ状の折り曲げ線Ｌ１に沿って内側に折り返された状態で当該衛生マスク本体Ｍ１の上縁からの着用者の左右両眼に対する呼気の排出を遮蔽する左右一対の遮蔽片６２，６２が適用されている。
【０１１２】
また、マスクカバー本体６０は、当該マスクカバー本体６０の左右両側縁に設けられ、かつ衛生マスク本体Ｍ１の左右両側縁を内側から挟み込むように切り欠かれた左右一対の切欠片６３，６３を備えている。左右の切欠片６３，６３は、互いに左右方向外方向きに開口する略Ｕ字状に形成されている。
【０１１３】
更に、マスクカバー本体６０は、当該マスクカバー本体６０の下縁において着用者の鼻腔を押さえないように衛生マスク本体Ｍ１との間に空隙を形成する空隙形成部６４を備えている。この空隙形成部６４としては、衛生マスク本体Ｍ１の下縁左右両位置の山折れ状の折り曲げ線Ｌ２に沿って内側に折り返された状態で当該衛生マスク本体Ｍ１に先端が当接する左右一対の折り曲げ片６５，６５が適用されている。
【０１１４】
そして、マスクカバー本体６０には、当該マスクカバー本体６０の上縁の左右方向略中央位置を頂点として着用者の鼻に沿うようにマスクカバー本体６０の下縁に向かって略八の字状に広がる八の字状折り曲げ線１７が設けられている。この八の字状折り曲げ線１６は、表面視で山折れ状となっている。
【０１１５】
また、マスクカバー本体６０には、当該マスクカバー本体６０の左右両側縁に沿ってそれぞれ上下方向へ延びる表面視で山折れ状の折り曲げ線としての左右両側折り曲げ線６７，６７が設けられている。この左右両側折り曲げ線６７，６７は、マスクカバー本体６０の左右両側縁よりそれぞれ８ｍｍ〜２０ｍｍ程度内側に位置している。
【０１１６】
そして、遮蔽体６１の左右の遮蔽片６２，６２及び左右の切欠片６３，６３の表面側には、厚さ１ｍｍ〜２ｍｍ程度のフェルト６６がそれぞれ設けられている。左右の遮蔽片６２，６２のフェルト６６は、各遮蔽片６２の表面全域に貼着され、各遮蔽片６２の折り曲げにより目の下に接触するようにしている。一方、左右の切欠片６３，６３のフェルト６６は、各切欠片６３の表面の左右両側折り曲げ線６７よりも内側全域（先端側全域）に貼着され、衛生マスク本体Ｍ１に装着した際に頬に接触するようにしている。
【０１１７】
図３５は図３１のマスクカバー６を子供用の衛生マスクＳに装着した状態で正面側から見た正面図、図３６は図３１のマスクカバー６を子供用の衛生マスクＳに装着した状態で背面側から見た背面図をそれぞれ示している。
【０１１８】
図３５及び図３６に示すように、マスクカバー６を子供用の衛生マスクＳに装着する際には、その子供用の衛生マスク本体Ｓ１の幅に合致するように、左右両側折り曲げ線６７，６７をそれぞれ山折れ状に折り曲げてその左右両側折り曲げ線６７，６７よりも外側部分６８，６８を衛生マスク本体Ｓ１の内側に沿わせるようにしている。このとき、マスクカバー本体６０は、大人用の衛生マスクＭと同様に、子供用の衛生マスクＳの左右両側縁に対しの左右の切欠片６３，６３を内側から挟み込んだ状態で装着される。
【０１１９】
したがって、本実施の形態では、マスクカバー本体６０の左右の切欠片６３，６３により大人用及び子供用の衛生マスク本体Ｍ１，Ｓ１の左右両側縁を内側から挟み込んだ状態で装着したマスクカバー６の遮蔽体６１の左右一対の遮蔽片６２，６２によって、大人用及び子供用の衛生マスク本体Ｍ１，Ｓ１の上縁からの着用者の左右両眼に対する呼気の排出が遮蔽される。これにより、呼気による眼への負担や眼鏡のレンズの曇りなどを効果的に防止することができる。
【０１２０】
しかも、マスクカバー本体６０の上縁の左右方向略中央位置を頂点として着用者の鼻に沿うようにマスクカバー本体６０の下縁に向かって広がる表面視で山折れ状の八の字状折り曲げ線１６が設けられているとともに、マスクカバー本体６０の下縁より衛生マスクＭ側に突設する空隙形成部６４によって着用者の鼻腔を押さえないように衛生マスク本体Ｍ１，Ｓ１との間に空隙が形成されている。このため、八の字状折り曲げ線１６に沿って折り曲げた際にマスクカバー本体６０の中央部が着用者の鼻に沿った形状に盛り上がる上、着用者の鼻腔や口から排出した呼気を左右一対の折り曲げ片６５，６５よりなる空隙形成部６４に無理なく吐き出すことが可能となる。これにより、大人用及び子供用の衛生マスクＭ，Ｓ装着時の息苦しさを簡単な構成で良好に緩和することができる。
【０１２１】
更に、遮蔽体６１の左右の遮蔽片６２，６２及び左右の切欠片６３，６３の表面側に厚さ１ｍｍ〜２ｍｍ程度のフェルト６６がそれぞれ設けられているので、左右の遮蔽片６２，６２及び左右の切欠片６３，６３が目の下や頬に直に接触することがなく、やわらかなフェルト６６によって目の下や頬への接触を緩和することができる。
【０１２２】
なお、本実施の形態では、左右の切欠片６３，６３のフェルト６６を各切欠片６３の表面の左右両側折り曲げ線６７よりも内側全域に貼着したが、図３７〜図４０に示すように、フェルト６６を各切欠片６３の表面の左右両側折り曲げ線６７よりも内側における先端側寄りの略半分の領域にのみ貼着されていてもよい。この場合、フェルト６６の貼着範囲は頬に接触し易い先端側寄りの略半分の領域のみで済み、フェルト６６の使用量を効率よく減らすことができる。
【０１２３】
次に、本考案の第６の実施の形態を図４１〜図４５に基づいて説明する。
【０１２４】
この実施の形態では、マスクカバー本体の構成を変更している。なお、マスクカバー本体を除くその他の構成は前記第１の実施の形態の場合と同じであり、同一部分については同じ符号を付してその詳細な説明は省略する。
【０１２５】
図４１は本考案の第７の実施の形態に係るマスクカバーを展開した状態を背面側から示す展開図、図４２は図４１のマスクカバーの下縁の各折り曲げ片同士を折り曲げた状態で連結する連結部を背面側から見た説明図、図４３は図４１のマスクカバーを正面側から見た正面図をそれぞれ示している。また、図４４は図４１のマスクカバーを大人用の衛生マスクＭに装着した状態で正面側から見た正面図、図４５は図４１のマスクカバーを大人用の衛生マスクＭに装着した状態で背面側から見た背面図をそれぞれ示している。
【０１２６】
すなわち、本実施の形態では、図４１〜図４５に示すように、マスクカバー７は、厚さ０．１ｍｍ〜０．３ｍｍ程度の黒色のポリプロピレンなどの樹脂製のシート材を切り欠いて形成されたマスクカバー本体７０を備えている。このマスクカバー本体７０は、着用者の左右両眼の下瞼から顎に至る範囲を覆う衛生マスクＭに対しその上部を外側から覆うように装着され、衛生マスク本体Ｍ１の上縁からの呼気の排出を抑えるようにしている。
【０１２７】
マスクカバー本体７０は、着用者の左右両眼に対する呼気の排出を遮蔽する遮蔽体７１を備えている。この遮蔽体７１としては、衛生マスク本体Ｍ１の上縁左右両位置の山折れ状の折り曲げ線Ｌ１に沿って内側に折り返された状態で当該衛生マスク本体Ｍ１の上縁からの着用者の左右両眼に対する呼気の排出を遮蔽する左右一対の遮蔽片７２，７２が適用されている。
【０１２８】
また、マスクカバー本体７０は、当該マスクカバー本体７０の左右両側縁に設けられ、かつ衛生マスク本体Ｍ１の左右両側縁を内側から挟み込むように切り欠かれた左右一対の切欠片７３，７３を備えている。左右の切欠片７３，７３は、互いに左右方向外方向きに開口する略Ｕ字状に形成されている。
【０１２９】
更に、マスクカバー本体７０は、当該マスクカバー本体７０の下縁において着用者の鼻腔を押さえないように衛生マスク本体Ｍ１との間に空隙を形成する空隙形成部７４を備えている。この空隙形成部７４としては、衛生マスク本体Ｍ１の下縁左右両位置の山折れ状の折り曲げ線Ｌ２に沿って内側に折り返された状態で当該衛生マスク本体Ｍ１に先端が当接する左右一対の第１及び第２折り曲げ片７５，７６が適用されている。
【０１３０】
第１及び第２折り曲げ片７５，７６のうち、背面視で左側に位置する第１折り曲げ片７５は、上下方向へ延びる切欠孔７５１を備えている。一方、背面視で右側に位置する第２折り曲げ片７６は、折り曲げ線Ｌ２に沿って内側に折り返した際に切欠孔７５１に挿通される挿通片７６１を備えている。この挿通片７６１には、当該挿通片７６１を切欠孔７５１に挿通した際の抜け落ちを防止するために係止されるカエシ用の切欠７６２が設けられている。この場合、第１折り曲げ片７５の切欠孔７５１と第２折り曲げ片７６の切欠７６２を有する挿通片７６１とによって、第１及び第２折り曲げ片７５，７６同士を折り曲げた状態で連結する連結部が構成されている。
【０１３１】
第１及び第２折り曲げ片７５，７６の折り曲げ線Ｌ２，Ｌ２のうち、互いに近接する左右方向内側の略三分の一の領域は、それぞれ切除された切除部分８５４，７６３を備えている。この切除部分８５４，７６３は、第１及び第２折り曲げ片７５，７６を折り曲げ線Ｌ２に沿って内側に折り返した際に挿通片７６１を切欠孔７５１に対し無理なく挿通できるようにするためのものである。
【０１３２】
また、第１折り曲げ片７５には、略三角形状の隙間片７５２が設けられている。この隙間片７５２は、略円弧状の切欠７５３の両端によって繋がっていて、挿通片７６１を切欠孔７５１に挿通した際に生じる第１及び第２折り曲げ片７５，７６の間の隙間を埋めるために折り曲げ易くしている。
【０１３３】
また、マスクカバー本体７０には、当該マスクカバー本体７０の左右両側縁に沿ってそれぞれ上下方向へ延びる表面視で山折れ状の折り曲げ線としての左右両側折り曲げ線７７，７７が設けられている。この左右両側折り曲げ線７７，７７は、マスクカバー本体７０の左右両側縁よりそれぞれ８ｍｍ〜２０ｍｍ程度内側に位置している。
【０１３４】
したがって、本実施の形態では、マスクカバー本体７０の左右の切欠片７３，７３により大人用及び子供用の衛生マスク本体Ｍ１，Ｓ１の左右両側縁を内側から挟み込んだ状態で装着したマスクカバー７の遮蔽体７１の左右一対の遮蔽片７２，７２によって、大人用及び子供用の衛生マスク本体Ｍ１，Ｓ１の上縁からの着用者の左右両眼に対する呼気の排出が遮蔽される。これにより、呼気による眼への負担や眼鏡のレンズの曇りなどを効果的に防止することができる。
【０１３５】
しかも、第１及び第２折り曲げ片７５，７６を折り曲げ線Ｌ２に沿って内側に折り返した際に挿通片７６１を切欠孔７５１に対し挿通させることで、マスクカバー本体６０の下縁より衛生マスクＭ側に突設する空隙形成部７４によって着用者の鼻腔を押さえないように衛生マスク本体Ｍ１，Ｓ１との間に空隙が形成されている。このため、着用者の鼻腔や口から排出した呼気を左右の第１及び第２折り曲げ片７５，７６よりなる空隙形成部７４に無理なく吐き出すことが可能となる。これにより、大人用及び子供用の衛生マスクＭ，Ｓ装着時の息苦しさを簡単な構成で良好に緩和することができる。
【０１３６】
更に、第１及び第２折り曲げ片７５，７６を内側に折り返した際に挿通片７６１を切欠孔７５１に対し挿通させることで空隙形成部７４が構成されることにより、空隙形成部７４を簡単かつ確実に構成することができる。
【０１３７】
なお、マスクカバー本体７０の形状はこれに限らず、図４６に示すように、マスクカバー本体７０の左右の遮蔽片７２，７２よりも左右方向外側の上下両辺がそれぞれ端部に近付くに従い互いに接近するように傾斜していてもよい。この場合、マスクカバー本体７０の見た目がシンプルで軽量なイメージを与えることが可能となる。
【０１３８】
次に、本考案の第８の実施の形態を図４７〜図５０に基づいて説明する。
【０１３９】
この実施の形態では、マスクカバー本体及び衛生マスクの構成を変更している。なお、マスクカバー本体及び衛生マスクを除くその他の構成は前記第７の実施の形態の場合と同じであり、同一部分については同じ符号を付してその詳細な説明は省略する。
【０１４０】
図４７は本考案の第８の実施の形態に係るマスクカバーを正面側から見た正面図、図４８は図４７のマスクカバーを背面側から見た背面図をそれぞれ示している。また、図４９は図４７のマスクカバーを衛生マスクに装着した状態で正面側から見た正面図、図５０は図４７のマスクカバーを衛生マスクに装着した状態で背面側から見た背面図をそれぞれ示している。
【０１４１】
すなわち、本実施の形態では、図４７〜図５０に示すように、マスクカバー８は、厚さ０．１ｍｍ〜０．３ｍｍ程度の黒色のポリプロピレンなどの樹脂製のシート材を切り欠いて形成されたマスクカバー本体８０を備えている。このマスクカバー本体８０は、着用者の左右両眼の下瞼から顎に至る範囲を覆う衛生マスクＵに対しその上部を外側から覆うように装着され、衛生マスク本体Ｕ１の上縁からの呼気の排出を抑えるようにしている。
【０１４２】
衛生マスクＵは、ウレタンなどの樹脂により顔の形状に則して形成され、かつ大人の着用者の顔面の左右両眼の下瞼から顎に至る範囲を覆う衛生マスク本体Ｕ１と、衛生マスク本体Ｕ１の左右両端にそれぞれ設けられ、当該衛生マスク本体Ｕ１を着用者の顔面に対し保持する左右の保持体Ｕ２，Ｕ２とを備えている。左右の保持体Ｕ２，Ｕ２は、衛生マスク本体Ｕ１の左右両端部においてトラック状に開口する開口孔よりなる。このとき、衛生マスク本体Ｕ１は、その中央部が鼻の形状に則して正面視で略への字状に折曲され、それぞれ左右の両端部が正面視で逆向き（略逆への字向き）に折曲されている。
【０１４３】
そして、マスクカバー本体８０は、衛生マスク本体Ｕ１と略一致するように、中央部が正面視で略への字状に折曲されかつ左右の両端部が正面視で逆向きに折曲されていて、衛生マスク本体Ｕ１に対し違和感なく装着されるようにしている。
【０１４４】
また、マスクカバー本体８０は、着用者の左右両眼に対する呼気の排出を遮蔽する遮蔽体８１を備えている。この遮蔽体８１としては、衛生マスク本体Ｕ１の上縁左右両位置より内側に折り返された状態で当該衛生マスク本体Ｕ１の上縁からの着用者の左右両眼に対する呼気の排出を遮蔽する左右一対の遮蔽片８２，８２が適用されている。このとき、左右の遮蔽片８２，８２は、衛生マスク本体Ｕ１の上縁より単に折り返されるだけでなく、衛生マスク本体Ｕ１の上縁において略コの字状に形成することで、ウレタン故に厚みが嵩んでいてもスムーズに折り返せるようにしていてもよい。
【０１４５】
また、マスクカバー本体８０は、当該マスクカバー本体８０の左右両側縁に設けられ、かつ衛生マスク本体Ｕ１の左右両側縁を内側から挟み込むように切り欠かれた左右一対の切欠片８３，８３を備えている。左右の切欠片８３，８３は、互いに左右方向外方向きに開口する略Ｕ字状に形成されている。
【０１４６】
更に、マスクカバー本体８０は、当該マスクカバー本体８０の下縁において着用者の鼻腔を押さえないように衛生マスク本体Ｕ１との間に空隙を形成する空隙形成部７４を備えている。この空隙形成部７４としては、衛生マスク本体Ｍ１の下縁左右両位置の山折れ状の折り曲げ線Ｌ２に沿って内側に折り返された状態で当該衛生マスク本体Ｍ１に先端が当接する左右一対の第１及び第２折り曲げ片７５，７６が適用されている。
【０１４７】
したがって、本実施の形態では、マスクカバー本体８０の左右の切欠片８３，８３により衛生マスク本体Ｕ１の左右両側縁を内側から挟み込んだ状態で装着したマスクカバー８の遮蔽体８１の左右一対の遮蔽片８２，８２によって、ウレタン製の衛生マスク本体Ｕ１の上縁からの着用者の左右両眼に対する呼気の排出が遮蔽される。これにより、呼気による眼への負担や眼鏡のレンズの曇りなどを効果的に防止することができる。
【０１４８】
更に、第１及び第２折り曲げ片７５，７６を内側に折り返した際に挿通片７６１を切欠孔７５１に対し挿通させることで空隙形成部７４が構成されることにより、空隙形成部７４が簡単かつ確実に構成されることになる。このため、着用者の鼻腔や口から排出した呼気を左右の第１及び第２折り曲げ片７５，７６よりなる空隙形成部７４に無理なく吐き出すことが可能となる。これにより、ウレタン製の衛生マスクＵ装着時の息苦しさを簡単な構成で良好に緩和することができる。
【０１４９】
次に、本考案の第９の実施の形態を図５１〜図５４に基づいて説明する。
【０１５０】
この実施の形態では、マスクカバー本体の構成を変更している。なお、マスクカバー本体を除くその他の構成は前記第１の実施の形態の場合と同じであり、同一部分については同じ符号を付してその詳細な説明は省略する。
【０１５１】
図５１は本考案の第９の実施の形態に係るマスクカバーを正面側から見た正面図、図５２は図５１のマスクカバーを背面側から見た背面図をそれぞれ示している。また、図５３は図５１のマスクカバーを大人用の衛生マスクに装着した状態で正面側から見た正面図、図５４は図５１のマスクカバーを大人用の衛生マスクに装着した状態で背面側から見た背面図をそれぞれ示している。
【０１５２】
すなわち、本実施の形態では、図５１〜図５４に示すように、マスクカバー９は、厚さ０．１ｍｍ〜０．３ｍｍ程度の黒色のポリプロピレンなどの樹脂製のシート材を切り欠いて形成されたマスクカバー本体９０を備えている。このマスクカバー本体９０は、着用者の左右両眼の下瞼から顎に至る範囲を覆う不織布製の大人用の衛生マスクＭに対しその上部を外側から覆うように装着され、衛生マスク本体Ｍ１の上縁からの呼気の排出を抑えるようにしている。
【０１５３】
マスクカバー本体９０は、当該マスクカバー本体９０の左右両側縁に設けられ、かつ衛生マスク本体Ｍ１の左右両側縁を内側から挟み込むように切り欠かれた左右一対の切欠片９３，９３を備えている。左右の切欠片９３，９３は、互いに左右方向外方向きに開口する略Ｕ字状に形成されている。
【０１５４】
マスクカバー本体９０は、着用者の左右両眼に対する呼気の排出を遮蔽する遮蔽体９１を備えている。この遮蔽体９１としては、マスクカバー本体９０の左右方向一方より挿通される筒状の遮蔽部材９２が適用されている。遮蔽部材９２は、黒色のフェルトにより成形され、左右の切欠片９３，９３の間に厚肉状態で装着されている。そして、遮蔽部材９２は、衛生マスクＭの上縁から着用者の左右両眼に対する呼気の排出を押圧により遮蔽している。
【０１５５】
したがって、本実施の形態では、マスクカバー本体９０の左右の切欠片９３，９３により衛生マスク本体Ｍ１の左右両側縁を内側から挟み込んだ状態で装着したマスクカバー９の遮蔽体９１の遮蔽部材９２によって押圧され、衛生マスク本体Ｍ１の上縁からの着用者の左右両眼に対する呼気の排出が遮蔽される。これにより、呼気による眼への負担や眼鏡のレンズの曇りなどを効果的に防止することができる。
【０１５６】
しかも、遮蔽部材９２は厚肉状態でマスクカバー本体９０に装着されていることにより、マスクカバー本体９０下方の衛生マスク本体Ｍ１の下部より漏れ出た呼気を遮蔽部材の厚みによって遮って左右両方向へスムーズに流して排出することができる。
【０１５７】
なお、本考案は前記各実施の形態に限定されるものではなく、その他種々の変形例を包含している。例えば、前記各実施の形態では、黒色又は透明のシート材を切り欠いてマスクカバー本体１０〜７０，９０を形成したが、黒色や透明に限らず、白色やベージュ色などの不織布製の衛生マスクにありがちな色のシート材を切り欠いてマスクカバー本体が形成されていてもよい。
【０１５８】
また、前記各実施の形態では、マスクカバー本体１０〜９０の裏面を衛生マスクＭ，Ｓ，Ｕの表面に直に接触させたが、マスクカバー本体の裏面に不織布などのシート材を取り付けていてもよい。この場合、マスクカバー装着時に衛生マスクを通過した呼気の水分をシート材で吸収することが可能となり、マスクカバー装着時の蒸れなどを効果的に防止することが可能となる。
【０１５９】
更に、前記第８の実施の形態では、衛生マスク本体Ｕ１をウレタンなどの樹脂により形成したが、このような衛生マスク本体Ｕ１のように、中央部が正面視で略への字状に折曲されかつ左右の両端部が正面視で逆向きに折曲された衛生マスクが、布や不織布などによって形成されていてもよい。
【０１６０】
また、前記第１〜第７及び第９の実施の形態では、略矩形状の不織布製の衛生マスクＭ，Ｓを用いたが、不織布に限らず、布製やウレタン製などの略矩形状の衛生マスクが用いられていてもよいのはいうまでもない。
【符号の説明】
【０１６１】
１        マスクカバー
１０      マスクカバー本体
１１      遮蔽体
１２      遮蔽片
１３      切欠片
１４      空隙形成部
１５      折り曲げ片
１６      八の字状折り曲げ線（折り曲げ線）
２        マスクカバー
２０      マスクカバー本体
２１      遮蔽体
２２      遮蔽片
２３      切欠片
２４      空隙形成部
２５      折り曲げ片
２６      上側折り曲げ線（折り曲げ線）
２７      左右両側折り曲げ線（折り曲げ線）
２９      下側折り曲げ線（折り曲げ線）
３        マスクカバー
３０      マスクカバー本体
３１      遮蔽体
３２      遮蔽片
３３      切欠片
３４      空隙形成部
３５      折り曲げ片
３７      左右両側折り曲げ線（折り曲げ線）
４        マスクカバー
４０      マスクカバー本体
４１      遮蔽体
４２      遮蔽片
４３      切欠片
４４      空隙形成部
４５      折り曲げ片
４６      上側折り曲げ線（折り曲げ線）
４７      左右両側折り曲げ線（折り曲げ線）
５        マスクカバー
５０      マスクカバー本体
５１      遮蔽体
５２      遮蔽片
５３      切欠片
５４      空隙形成部
５５      折り曲げ片
５７      左右両側折り曲げ線（折り曲げ線）
６        マスクカバー
６０      マスクカバー本体
６１      遮蔽体
６２      遮蔽片
６３      切欠片
６４      空隙形成部
６５      折り曲げ片
６７      左右両側折り曲げ線（折り曲げ線）
７        マスクカバー
７０      マスクカバー本体
７１      遮蔽体
７２      遮蔽片
７３      切欠片
７４      空隙形成部
７５      第１折り曲げ片（折り曲げ片）
７６      第２折り曲げ片（折り曲げ片）
７７      左右両側折り曲げ線（折り曲げ線）
８        マスクカバー
８０      マスクカバー本体
８１      遮蔽体
８２      遮蔽片
８３      切欠片
８４      空隙形成部
９        マスクカバー
９０      マスクカバー本体
９１      遮蔽体
９２      遮蔽部材
Ｍ        大人用の衛生マスク
Ｍ１      衛生マスク本体
Ｓ        子供用の衛生マスク
Ｓ１      衛生マスク本体
Ｕ        衛生マスク
Ｕ１      衛生マスク本体
【図１】
0003234859.tif 000003
【図２】
0003234859.tif 000004
【図３】
0003234859.tif 000005
【図４】
0003234859.tif 000006
【図５】
0003234859.tif 000007
【図６】
0003234859.tif 000008
【図７】
0003234859.tif 000009
【図８】
0003234859.tif 000010
【図９】
0003234859.tif 000011
【図１０】
0003234859.tif 000012
【図１１】
0003234859.tif 000013
【図１２】
0003234859.tif 000014
【図１３】
0003234859.tif 000015
【図１４】
0003234859.tif 000016
【図１５】
0003234859.tif 000017
【図１６】
0003234859.tif 000018
【図１７】
0003234859.tif 000019
【図１８】
0003234859.tif 000020
【図１９】
0003234859.tif 000021
【図２０】
0003234859.tif 000022
【図２１】
0003234859.tif 000023
【図２２】
0003234859.tif 000024
【図２３】
0003234859.tif 000025
【図２４】
0003234859.tif 000026
【図２５】
0003234859.tif 000027
【図２６】
0003234859.tif 000028
【図２７】
0003234859.tif 000029
【図２８】
0003234859.tif 000030
【図２９】
0003234859.tif 000031
【図３０】
0003234859.tif 000032
【図３１】
0003234859.tif 000033
【図３２】
0003234859.tif 000034
【図３３】
0003234859.tif 000035
【図３４】
0003234859.tif 000036
【図３５】
0003234859.tif 000037
【図３６】
0003234859.tif 000038
【図３７】
0003234859.tif 000039
【図３８】
0003234859.tif 000040
【図３９】
0003234859.tif 000041
【図４０】
0003234859.tif 000042
【図４１】
0003234859.tif 000043
【図４２】
0003234859.tif 000044
【図４３】
0003234859.tif 000045
【図４４】
0003234859.tif 000046
【図４５】
0003234859.tif 000047
【図４６】
0003234859.tif 000048
【図４７】
0003234859.tif 000049
【図４８】
0003234859.tif 000050
【図４９】
0003234859.tif 000051
【図５０】
0003234859.tif 000052
【図５１】
0003234859.tif 000053
【図５２】
0003234859.tif 000054
【図５３】
0003234859.tif 000055
【図５４】
0003234859.tif 000056